(57)【特許請求の範囲】
【請求項１】
通常再生用の識別情報を含む通常再生用データと特殊再生用の識別情報を含む特殊再生用データとが時系列的に独立して記録された記録媒体から、上記通常再生用データと上記特殊再生用データとを含む符号化データを再生する再生装置であって、
通常再生モード時に再生される上記符号化データに含まれる通常再生用データを通常再生しながら、上記符号化データに含まれる特殊再生用の識別情報を検出する検出手段と、
上記検出手段で検出された特殊再生用の識別情報を、前記通常再生から前記特殊再生への動作移行時に利用するために記憶する記憶手段とを設けたことを特徴とする再生装置。
【請求項２】
通常再生モード時に上記特殊再生用の識別情報が検出されたとき、上記記憶手段の内容を上記検出された最新の上記特殊再生用の識別情報で更新することを特徴とする請求項１に記載の再生装置。
【請求項３】
通常再生モードから特殊再生モードに遷移したとき、上記記憶手段に記憶されている上記特殊再生用の識別情報を読み出して出力することを特徴とする請求項１に記載の再生装置。
【請求項４】
再生される符号化データに含まれる時間信号を検出し、通常再生モードから特殊再生モードに遷移したとき、上記時間信号の不連続を示す信号を、再生される符号化データに組み込むようにしたことを特徴とする請求項１に記載の再生装置。
【請求項５】
再生される符号化データに含まれる時間信号と同等の形式を有する信号とを発生するための時間信号発生手段を設け、通常再生モードから特殊再生モードに遷移したとき、通常再生モード時の時間信号との連続性を保った上記信号を発生すると共に、この上記信号を上記再生される符号化データに組み込む制御手段を設けたことを特徴とする請求項１に記載の再生装置。
【請求項６】
上記時間信号発生手段はＰＣＲを発生することを特徴とする請求項５に記載の再生装置。
【請求項７】
上記符号化データは、フレーム内符号化データとフレーム間符号化データとが多重化された画像データであることを特徴とする請求項１に記載の再生装置。
【請求項８】
上記符号化データは、ＭＰＥＧ−２の符号化データであることを特徴とする請求項１に記載の再生装置。
【請求項９】
上記符号化データは、ＡＴＶの符号化データであることを特徴とする請求項１に記載の再生装置。
【請求項１０】
上記識別情報はＰＳＩであることを特徴とする請求項１に記載の再生装置。
【請求項１１】
通常再生用の時刻データを含む通常再生用データと特殊再生用の時刻データを含む特殊再生用データとが時系列的に独立して記録された記録媒体から、上記通常再生用データと上記特殊再生用データとを含む符号化データを再生する再生装置であって、
通常再生モード時に再生される上記符号化データに含まれる通常再生用データを通常再生しながら、上記符号化データに含まれる特殊再生用の時刻データを検出する検出手段と、
上記検出手段により検出された上記特殊再生用の時刻データを、前記通常再生から前記特殊再生への動作移行時に利用するために記憶する記憶手段とを備えることを特徴とする再生装置。
【請求項１２】
特殊再生モード時に、再生される符号化データ中の特殊再生用の時刻データが得られない場合は、上記記憶手段により記憶された上記特殊再生用の時刻データを、上記再生される符号化データに多重するように制御する制御手段を備えることを特徴とする請求項１１に記載の再生装置。
【請求項１３】
上記制御手段は、上記記憶手段により記憶された上記特殊再生用の時刻データを多重すると共に、上記時刻データの不連続を示す信号を、上記再生される符号化データに多重するようにしたことを特徴とする請求項１２に記載の再生装置。
【発明の詳細な説明】
【０００１】
【産業上の利用分野】
本発明は、高能率符号化された画像データ等の符号化データを記録再生するディジタルＶＴＲ等の再生装置に関する。
【０００２】
【従来の技術】
近年、画像のディジタル処理が検討されている。特に、画像データを圧縮するための高能率符号化については、標準化のために各方式が提案されている。高能率符号化技術は、ディジタル伝送及び記録などの効率を向上させるために、より小さいビットレートで画像データを符号化するものである。このような高能率符号化方式として、ＣＣＩＴＴ（Comito Consultafit International Telegraphique et Telephonique）は、テレビ会議／テレビ電話用の標準化勧告案Ｈ．２６１、カラー静止画用のＪＰＥＧ（Joint Photographic Expart Group ）方式、及び動画用のＭＰＥＧ（Moving Picture Expert Group ）方式を提案している。また米国では、ＭＰＥＧ−２方式を用いた次世代テレビ放送方式であるＡＴＶ（Advanced Television ）が検討されている。
【０００３】
図５はＭＰＥＧ符号化方式を説明するための説明図である。図中、矢印は符号化における予測の方向を示す。また図６はＭＰＥＧ符号化方式による画像データを記録再生する場合における符号化（エンコード）処理、記録媒体上の配列、符号化（デコード）処理及び再生画像による画像データの順序を示す説明図である。
【０００４】
図５に示すように、ＭＰＥＧ符号化方式は、所定枚数のフレーム画像でＧＯＰ（Group of Picture）を構成する。ＧＯＰに画像内符号化画像Ｉが少なくとも１枚は含まれている。この画像内符号化画像ＩはＤＣＴ（離散コサイン変換）によって１フレームの画像データを符号化したものである。この画像内符号化画像Ｉから所定のａフレーム毎の１フレームの画像データは、第１、第２の前方予測符号化画像Ｐ１、Ｐ２に変換される。その場合、第２の前方予測符号化画像Ｐ２は第１の前方予測符号化画像Ｐ１から変換される。さらに画像内符号化画像Ｉまたは第１の前方予測符号化画像Ｐ１と、第２の前方予測符号化画像Ｐ２との間の各フレームの画像データは、その前方及び後方の画像データを用いた両方向予測符号化により両方向予測符号化画像Ｂに変換される。まず画像内符号化画像Ｉが符号化される。この画像内符号化画像Ｉは、フレーム内の情報のみによって符号化され、時間方向の予測が含まれていない。
【０００５】
次に、図５、図６に示すように、前方予測符号化画像Ｐが作成され、画像内符号化画像Ｉまたは前方予測符号化画像Ｐの後に両方向予測符号化画像Ｂの符号化処理が行なわれる。前方予測符号化画像Ｐ及び両方向予測符号化画像Ｂは他の画像データとの相関を利用している。上記のように、各画像データの予測方法に起因して、両方向予測符号化画像Ｂは画像内符号化画像Ｉまたは前方予測符号化画像Ｐの後に記録媒体上に記録され、復号時に元の順序に戻される。
【０００６】
画像内符号化画像Ｉはフレーム内の情報のみによって符号化されているので、単独の符号化データのみによって復号可能である。一方、前方予測符号化画像Ｐ及び両方向予測符号化画像Ｂは、他の画像データとの相関を利用して符号化を行なっており、単独の符号化データのみによっては復号することができないようになっている。
【０００７】
ＭＰＥＧ符号化方式においては、記録レートは規定されている（標準１．２Ｍｂｐｓ）が、データ長は可変である。従って、ＧＯＰに含まれる画像内符号化画像Ｉがどの位置に記録されるか特定することはできず、また一つのＧＯＰのデータ長を特定することもできない。上記のＭＰＥＧ符号化方式を、ディジタルＶＴＲなどに適用した場合、通常再生においては、各符号化画像Ｉ、Ｂ、Ｐが順次再生されるので特に問題は起こらない。しかしながら、サーチ等を行うための早送り再生など特殊再生を行なう場合、各符号化画像Ｉ、Ｂ、Ｐが順次再生されることにはならない。
【０００８】
また、特殊再生を行なう場合、記録媒体上の記録トラックの一部しか再生されず、画像内符号化画像Ｉの記録媒体上の位置は特定されていないので、画像内符号化画像Ｉが必ず再生できるとは限らない。その場合は前方予測符号化画像Ｐや、両方向予測符号化画像Ｂが再生できなくなる。このため、例えば特開平４−２９８８０２号公報に示される技術においては、符号化画像データを特殊再生時に再生できるように記録媒体上の所定位置に記憶しておいて、特殊再生時にはそのデータを再生することにより画面を再現するようにしている。
【０００９】
次に、ＭＰＥＧ−２方式においては、コード化された画像信号、音声信号、またはその他のビット列をエレメンタリストリーム（Elementary Stream）と称する。また、エレメンタリストリームを運ぶための構造としてＰＥＳ（Packetized Elementary Stream）パケットが定義されている。これはＰＥＳヘッダと呼ばれるヘッダ情報の後に上記ＰＥＳパケットを含むＰＥＳペイロードが続く構造を持つ。また、このＭＰＥＧ−２方式において共通のタイムベースを持ったエレメンタリストリームの集合はプログラムと呼ばれる。
【００１０】
ＭＰＥＧ−２方式のコード化には、２つの形式が定義されている。１つはトランスポートストリーム（Transport Stream）、もう１つはプログラムストリーム（Program Stream）である。上記のトランスポートストリーム及びプログラムストリームの両方の定義には、映像と音声のデコード、再生の同期に関する必要十分な文法が含まれている。プログラムストリームは共通のタイムベースを持った一つかそれ以上のＰＥＳパケットを結合して、単一のビット列としたものである。トランスポートストリームは一つかそれ以上のタイムベースを持った一つかそれ以上のプログラムを結合して、単一のビット列としたものである。前述のＡＴＶ方式においては、上記トランスポートストリームが用いられる。
【００１１】
トランスポートストリームでは、トランスポートパケットという固定長の伝送の単位に画像、音声等のデータを分割して、ビット列として伝送する。このビット列の中には同期をとるために用いられるＰＣＲ（Program Clock Reference）やＰＳＩ（Program Specific Information）と呼ばれる各種識別情報等の番組情報データが適宜組み込まれ、デコーダはこれらのデータを検出することによって、ビット列の正常なデコードが可能となる。
【００１２】
図７は上記ＰＣＲのデコード回路の一例であり、特殊再生を行なう場合を示している。図７において、７０１は入力端子、７０２は引き算器、７０３はＬＰＦ（Low Pass Filter）、７０４はアンプ、７０５はＶＣＯ（Voltage Controlled Oscillator）、７０６はカウンタ、７０７は出力端子である。カウンタ７０６の出力はＳＴＣ（System Time Clock）と呼ばれる。このデコード回路の入力端子７０１にＰＣＲが到着すると、引き算器７０２によってカウンタ７０６の出力である現在のＳＴＣと到着したＰＣＲとの比較値が算出される。この比較値はＬＰＦ７０３及びアンプ７０４によってＶＣＯ７０５のコントロール信号として出力される。ＶＣＯ７０５はクロック信号を出力する。このクロック信号は、上記コントロール信号の値に応じて周波数が変化するようになっている。
【００１３】
ＶＣＯ７０５からのクロック信号は出力端子７から不図示のＭＰＥＧデコーダに入力されてシステムクロックとして使用されるとともに、カウンタ７０６に入力される。カウンタ７０６は上記システムクロックをカウントして、上記ＳＴＣを出力する。このＳＴＣは引き算器７０２に入力されることによりＰＬＬ（Phase Locked Loop）を構成するフィードバックループを構成している。上記のＰＬＬに入力されるＰＣＲの入力の時間的間隔は、１００ミリ秒以内に設定されている。
【００１４】
上記ＰＳＩにはＰＡＴ（Program Association Table ）、ＰＭＴ（Program Map Table ）と呼ばれるＰＩＤ（Packet ID ）等を識別するための情報が含まれ、これらの情報を用いて目的のデータが入っているトランスポートパケットを識別するようにしている。
【００１５】
通常再生から、サーチ等の特殊再生にモード遷移する場合、通常再生用のデータと特殊再生用のデータとはそれぞれ独立したデータとして書き込まれているため、ＰＣＲやＰＳＩが異なっている。このため特殊再生時には特殊再生データ用のＰＣＲ、ＰＳＩでデコーダを初期化する必要がある。
【００１６】
【発明が解決しようとする課題】
図８は、記録媒体から再生されるビット列をトランスポートパケット単位で現した例である。図中の斜線を施したパケットは通常再生用のパケットであり、それ以外のパケットは特殊再生用のパケットである。通常再生時には、（１）の通常再生用のＰＥＳ、ＰＳＩパケット及び特殊再生用のＰＥＳ、ＰＳＩパケットが再生される。図中の矢印で示すタイミングで通常再生からサーチ等の特殊再生へモード遷移する信号が与えられると、指示された記録媒体の走行系等が特殊再生モードに移行を始め、図中（２）で示すように状態が安定するまでデータ再生不能となる。状態が安定すると、特殊再生用のデータが再生されるようになるが、図中（４）で示される特殊再生用のＰＳＩパケットが再生されるまでデコーダは特殊再生用のＰＥＳパケットを識別することができず、このため（５）のパケットからしか再生できず、データデコード不能な期間（３）が発生し、再生画像が乱れたり欠落する。
【００１７】
本発明は上記のような問題を解決するためになされたもので、通常再生モードから特殊再生モードに遷移する場合に再生画像の乱れや欠落を低減するようにした再生装置を得ることを目的としている。
【００１８】
【課題を解決するための手段】
請求項１の発明においては、通常再生用の識別情報を含む通常再生用データと特殊再生用の識別情報を含む特殊再生用データとが時系列的に独立して記録された記録媒体から、上記通常再生用データと上記特殊再生用データとを含む符号化データを再生する再生装置であって、通常再生モード時に再生される上記符号化データに含まれる通常再生用データを通常再生しながら、上記符号化データに含まれる特殊再生用の識別情報を検出する検出手段と、上記検出手段で検出された特殊再生用の識別情報を、前記通常再生から前記特殊再生への動作移行時に利用するために記憶する記憶手段とを設けている。
【００１９】
請求項４の発明においては、通常再生から特殊再生にモード遷移した場合、再生されるデータ中に時間信号の不連続を示す信号を組み込むようにしている。
【００２０】
請求項５の発明においては、再生される符号化データに含まれる時間信号と同等の形式を有する信号とを発生するための時間信号発生手段を設け、通常再生モードから特殊再生モードに遷移したとき、通常再生モード時の時間信号との連続性を保った上記信号を発生すると共に、この上記信号を上記再生される符号化データに組み込む制御手段を設けている。
請求項１１の発明においては、通常再生用の時刻データを含む通常再生用データと特殊再生用の時刻データを含む特殊再生用データとが時系列的に独立して記録された記録媒体から、上記通常再生用データと上記特殊再生用データとを含む符号化データを再生する再生装置であって、通常再生モード時に再生される上記符号化データに含まれる通常再生用データを通常再生しながら、上記符号化データに含まれる特殊再生用の時刻データを検出する検出手段と、上記検出手段により検出された上記特殊再生用の時刻データを、前記通常再生から前記特殊再生への動作移行時に利用するために記憶する記憶手段とを備えている。
【００２１】
【作用】
請求項１の発明によれば、通常再生しながら符号化データに含まれる特殊再生用の識別情報を検出するとともに、これを通常再生から特殊再生への動作移行時に利用するために記憶するようにしたので、再生符号化データを復号するデコーダにおいて復号不可能な時間を短縮することができる。
【００２２】
この手法を用いて、通常再生時に図８の（１）で示される特殊再生用のＰＳＩを記憶しておき、通常再生からサーチ等の特殊再生へモード遷移する時に、特殊再生データ用のＰＳＩを出力することによって、デコーダは特殊再生用のパケットを即座に認識して、図８（３）のパケットからデコードすることができ、データデコードが不能な期間を短縮することができる。
【００２３】
請求項４の発明によれば、通常再生から特殊再生にモード遷移した場合、再生される符号化データ中に時間信号の不連続を示す信号を組み込むことにより、デコーダの誤動作を防ぐことができる。
【００２４】
請求項５の発明によれば、時間信号発生手段により再生される符号化データ中の時間信号を検出して記憶し、通常再生から特殊再生にモード遷移した場合、記憶してある時間信号を用いて、連続性の保たれた時間信号を発生し、再生された符号化データ中に組み込むことにより、デコーダの誤動作を防ぐことができる。
【００２５】
【実施例】
図１は本発明の第１の実施例を示すブロック図である。本実施例は、本発明をＭＰＥＧトランスポートストリームまたはＡＴＶビットストリームを記録再生する記録再生装置に適用した場合を示している。図１において、１０１は再生データの入力端子、１０２は動作モード信号の入力端子、１０３はデータ識別信号の入力端子、１０４、１０５は選択スイッチ、１０６はシンクブロックメモリ、１０７はＰＣＲ検出回路、１０８はＰＳＩ検出回路、１０９はＰＣＲメモリ、１１０はＰＳＩメモリ、１１１はマルチプレクサ、１１２は制御回路、１１３、１１４は選択スイッチ、１１５はパケット化回路、１１６は出力端子である。
【００２６】
次に動作について説明する。
入力端子１０１から入力されたビットストリームは、選択スイッチ１０４に入力される。入力端子１０３からは再生されたデータが通常再生用のデータか特殊再生用のデータかを示すデータ識別信号が入力される。選択スイッチ１０４は入力端子１０３からのデータ識別信号によって制御され、入力されたデータが通常再生用である場合にはＮ側を選択し、特殊再生用のデータである場合はＰ側を選択する。
【００２７】
入力されたデータが特殊再生用のデータの場合、そのデータは選択スイッチ１０５に入力される。選択スイッチ１０５は入力端子１０２より入力される動作モード信号によって制御され、動作モードが特殊再生モードである場合はＰ側を選択し、通常再生モードである場合はＮ側を選択する。特殊再生モードである場合、入力データはシンクプロックメモリ１０６に入力され、１フレームのデータとして再構成される。通常再生モードである場合、入力データはＰＣＲ検出回路１０７および、ＰＳＩ検出回路１０８に入力されてＰＣＲ、ＰＳＩが検出され、それぞれＰＣＲメモリ１０９、ＰＳＩメモリ１１０に記憶される。
【００２８】
ＰＣＲ検出回路１０７は例えば図２のように構成されている。図２において２０１は入力端子、２０２はシンクバイト検出回路、２０３は第１のカウンタ、２０４は比較器、２０５は第２のカウンタ、２０６はシフトレジスタ、２０７は出力端子である。入力端子２０１から入力されたパケットデータはまずシンクバイト検出回路２０２に入力され、そのパケットデータに含まれている８ビットのシンクバイトが検出され、パケット等の同期がとられる。パケット等の同期がとられると、パケットデータは、第１のカウンタ２０３、比較器２０４及びシフトレジスタ２０６に入力される。
【００２９】
第１のカウンタ２０３は、パケットのビット数をカウントする。即ち、第１のカウンタ２０３は、シンクバイト検出回路２０２の検出データに基づき、この第１のカウンタ２０３のカウントの値をリセットすると共に、シンクバイトにおける最後のビットの次のビットからカウントを開始する。第１のカウンタ２０３のカウント値が１９ビットになると、第１のカウンタ２０３は比較器２０４へ比較許可信号を出力する。この信号のビットはアダプテーションフィールドコントロール（adaptation field control）の最初のビットであって、このビットが１の時、ＰＣＲが含まれるかもしれないアダプテーションフィールドが同じパケット内に存在する。比較器２０４は上記ビットを１と比較し、ビットが１の時は第１のカウンタ２０３にさらにビットカウントを継続するよう指示する。ビットがゼロの時、比較器２０４は第１のカウンタ２０３にビットカウントを中止させ、次のパケットが入力されるのを待つようになされている。
【００３０】
次に第１のカウンタ２０３はカウント値が３６ビットになると、比較器２０４へ比較許可信号を出力する。この信号のビットはＰＣＲフラグであって、このビットが１の時、同じパケット内にあるアダプテーションフィールド内にＰＣＲが存在する。比較器２０４は上記ＰＣＲフラグを１と比較し、フラグが１の時、第１のカウンタ２０３にビットのカウントを継続させる。フラグがゼロの時、比較器２０４は第１のカウンタ２０３にビットカウンタを中止させ、次のパケットが入力されるのを待つ。第１のカウンタ２０３はカウント値が４０ビットになると、第２のカウンタ２０５にビットのカウントを許可する。これにより、第２のカウンタ２０５はＰＣＲのデータ部分をカウンタする。
【００３１】
第２のカウンタ２０５は、ＰＣＲのビット数をカウントする。シフトレジスタ２０６は、第２のカウンタ２０５の制御に従ってＰＣＲをシリアル−パラレル変換して出力端子２０７から出力する。上記第２のカウンタ２０５及びシフトレジスタ２０６によって、ＰＣＲがパケットデータから時刻データとして抽出される。ＰＣＲは４２ビットのビットフィールドで、２つのパートに分かれている。１つは、ＰＣＲベースと呼ばれる３３ビットの部分であり、もう１つはＰＣＲエクステンションと呼ばれる９ビットの部分である。上記ＰＣＲベースとＰＣＲエクステンションとの間にはＭＰＥＧで予約されている６ビットのフィールドが挿入されている。
【００３２】
第２のカウンタ２０５は、まず上記のＰＣＲベースを抽出するために、カウント値が３３ビットとなるまで、シフトレジスタ２０６に入力されたデータを左シフトさせる。カウント値が３３ビットになると、シフトレジスタのデータは３３ビットのパラレルデータとして、出力端子２０７から外部へ出力される。その後の６ビットは無効データであるため、カウント値が３９ビットになるまで、第２のカウンタ２０５はシフトレジスタ２０６にデータの出力及びシフト動作を禁止させる。その後、第２のカウンタ２０５はＰＣＲエクステンションを抽出するために、カウント値が４８ビットとなるまでシフトレジスタ２０６に入力されたデータを左シフトさせる。カウント値が４８ビットとなると、シフトレジスタ２０６のデータは９ビットのパラレルデータとして出力端子２０７から外部へ出力される。
【００３３】
上記動作により、ＰＣＲ構成要素であるＰＣＲベースとＰＣＲエクステンションとが、パケットから取り出されるようになされている。
【００３４】
次に動作モードが通常再生から特殊再生に遷移した場合、図１の制御回路１１２はＰＣＲメモリ１０９、ＰＳＩメモリ１１０に対して、通常再生時に記憶したＰＣＲ、ＰＳＩを出力するよう指示を与えると同時に、選択スイッチ１１３を制御してＰ1 側を選択する。マルチプレクサ１１１はＰＣＲメモリ１０９、ＰＳＩメモリ１１０から入力されたＰＣＲ、ＰＳＩをＭＰＥＧのトランスポートパケットの形式で多重化する。このとき、パケットヘッダ中に存在する中止指示（discontinuity indicator ）フラグを１にセットする。多重化されたデータは選択スイッチ１１３に出力され、出力を終えると制御回路１１２に出力終了のフラグを出力する。制御回路１１２はマルチプレクサ１１１から出力終了フラグを受け取ると、選択スイッチ１１３を制御してＰ2 側を選択する。
【００３５】
動作モードが通常再生モードである場合は、選択スイッチ１１４はＮ側を選択し、通常再生用のデータが選択スイッチ１１４を介してパケット化回路１１５に入力される。また特殊再生モードの場合は、選択スイッチ１１４はＰ側を選択し、シンクブロックメモリ１０６の特殊再生用のＩフレームデータまたは、マルチプレクサ１１１のＰＣＲ、ＰＳＩを多重化したデータが選択スイッチ１１４を介してパケット化回路１１５に入力される。パケット化回路１１５は入力されたデータをＭＰＥＧのトランスポートパケット単位で出力端子１１６から出力する。
【００３６】
以上の動作により、通常再生から特殊再生へモード遷移する場合、通常再生時に記録媒体から再生されてメモリ１０９、１１０に記憶した特殊再生データ用のＰＣＲ、ＰＳＩが出力端子１１６から出力される。このとき、パケットヘッダ中の中止指示フラグを１にセットしてあるため、デコーダはＰＣＲ値の不連続を認識できるので、誤動作を防ぐことができる。
【００３７】
このようにして中止指示フラグを１にセットして、通常再生時に記憶した特殊再生データ用のＰＳＩをモード変遷時に送出することにより、デコーダがデータデコード不能な期間を短縮することができる。
【００３８】
図３は本発明の第２の実施例を示すブロック図であり、図１と同一部分には同一の番号を付して説明を省略する。図３において、３０１はＰＣＲ生成回路、３１１はマルチプレクサである。
【００３９】
次に動作について説明する。
入力端子１０１から入力されたビットストリームは、選択スイッチ１０４に入力される。入力端子１０３からは再生されたデータが通常再生用のデータか特殊再生用のデータかを示すデータ識別信号が入力される。選択スイッチ１０４は入力端子１０３からのデータ識別信号によって制御され、入力されたデータが通常再生用である場合はＮ側を選択し、特殊再生用のデータである場合は、Ｐ側を選択する。
【００４０】
入力されたデータが通常再生用のデータの場合、そのデータはＰＣＲ検出回路１０７および、選択スイッチ１１４に入力される。ＰＣＲ検出回路１０７で検出されたＰＣＲはＰＣＲ生成回路３０１に入力される。ＰＣＲ生成回路３０１は入力されたＰＣＲ値に基づいて通常再生から特殊再生モード遷移する時に送出されるためのＰＣＲ値を生成する。ＰＣＲは少なくとも１００ミリ秒に１回ＭＰＥＧデコーダまたはＡＴＶデコーダに入力されなければならないので、ＰＣＲ生成回路３０１は入力されたＰＣＲ値に対して最大１００ミリ秒のオフセットを持つＰＣＲ値を生成する。
【００４１】
図４は図３に付けるＰＣＲ生成回路３０１の構成例を示す図である。４０１は入力端子、４０２は第１のセレクタ、４０３は第１のカウンタ、４０４は第２のカウンタ、４０５はクロックジェネレータ、４０６はバッファ、４０７は第２のセレクタ、４０８はシフトレジスタ、４０９は出力端子である。
【００４２】
入力端子４０１からは、前述のＰＣＲ検出回路１０７で検出されたＰＣＲが入力される。第１のセレクタ４０２、第１のカウンタ４０３及び第２のカウンタ４０４は、不図示のタイミング回路によって制御されている。入力端子４０１から入力されたＰＣＲは、第１のセレクタ４０２によってＰＣＲベースは第１のカウンタ４０３に、ＰＣＲエクステンションは第２のカウンタ４０４にそれぞれ選択されて入力される。クロックジェネレータ４０５は２７ＭＨｚの周波数を持つクロックを発生する。このクロックは第２のカウンタ４０４に入力される。第２のカウンタ４０４は９ビットのカウンタであり、上記動作によりＰＣＲエクステンションをロードした後、クロックジェネレータ４０５からのクロック毎にＰＣＲエクステンションを１ずつ増加するようになされている。
【００４３】
一方、第１のカウンタ４０３は、３３ビットのカウンタであり、第２のカウンタ４０４のカウント値が予め定められた所定の最大値に達するとカウント値を１ずつ増加するようになされている。第２のカウンタ４０４のカウント値の最大値は２９９であって、カウント値すなわちＰＣＲエクステンションが２９９に達すると、カウント値はゼロになり、第１のカウンタ４０３のカウント値、すなわちＰＣＲベースは１ずつ増加する。上記動作により、第１のカウンタ４０３は９０ｋＨｚのクロックによってカウント値が増加するのと同等な動作を示す。
【００４４】
第１のカウンタ４０３の出力は、第２のセレクタ４０７へ入力される。第２のカウンタ４０４の出力はバッファ４０６に入力され、遅延されて第２のセレクタ４０７への出力タイミングを合わせられると共に、第２のカウンタ４０４の出力データであるＰＣＲエクステンションの前に前述したＭＰＥＧで予約されている６ビットのフィールドが挿入されて、出力される。この６ビットフィールドはリザーブドビットと呼ばれ、通常２進数で‘１１１１１１’の値を持つ。第２のセレクタ４０７の出力はシフトレジスタ４０８によって、パラレル−シリアル変換され、出力端子４０９から外部へ出力される。
【００４５】
上記動作により、ＰＣＲ生成回路３０１では、ＭＰＥＧまたはＡＴＶの定義する文法にしたがってＰＣＲが発生され出力される。
【００４６】
図３において、ＰＣＲ生成回路３０１から出力されたＰＣＲはＰＣＲメモリ１０９に記憶される。
入力端子１０１に入力されたデータが特殊再生用のデータの場合、そのデータは選択スイッチ１０５に入力される。選択スイッチ１０５は入力端子１０２より入力される動作モード信号によって制御され、動作モードが特殊再生モードである場合はＰ側を選択し、通常再生モードである場合はＮ側を選択する。特殊再生モードである場合、入力データはシンクブロックメモリ１０６に入力され、１フレームのデータとして再構成される。通常再生モードである場合、入力データはＰＳＩ検出回路１０８に入力されてＰＳＩが抽出され、ＰＳＩメモリ１１０に記憶される。
【００４７】
動作モードが通常再生から特殊再生に遷移した場合、制御回路１１２は、ＰＣＲメモリ１０９、ＰＳＩメモリ１１０に対して、通常再生時に記憶したＰＣＲ、ＰＳＩを出力するように指示を与えると同時に、選択スイッチ１１３を制御しててＰ1 側を選択する。マルチプレクサ３１１は、ＰＣＲメモリ１０９、ＰＳＩメモリ１１０から入力されたＰＣＲ、ＰＳＩをＭＰＥＧのトランスポートパケットの形式で多重化する。このとき、ＰＣＲ値は通常再生時のＰＣＲ値との連続性が保たれている、多重化されたデータは選択スイッチ１１３に出力され、出力を終えると、制御回路１１２に出力終了のフラグを出力する。制御回路１１２はマルチプレクサ３１１から出力終了フラグを受け取ると、選択スイッチ１１３を制御して、Ｐ2 側を選択する。
【００４８】
動作モードが通常再生モードである場合は選択スイッチ１１４はＮ側を選択し、通常再生用のデータが選択スイッチ１１４を介してパケット化回路１１５に入力される。特殊再生モードの場合は、選択スイッチ１１４はＰ側を選択し、シンクロブロックメモリ１０６の特殊再生用の１フレームデータまたは、マルチプレクサ３１１のＰＣＲ、ＰＳＩを多重化したデータが選択スイッチ１１４を介してパケット化回路１１５に入力される。パケット化回路１１５は入力されたデータをＭＰＥＧのトランスパケット単位で出力端子１１６から出力する。
【００４９】
以上の動作により、通常再生から特殊再生へモード遷移する場合、通常再生時に記録媒体から再生されてメモリ１０９、１１０に記憶した特殊再生データ用のＰＣＲ、ＰＳＩが出力端子１１６から出力される。このとき、ＰＣＲ値は通常再生時のＰＣＲ値との連続性が保たれているため、デコーダの誤動作を防ぐことができる。
【００５０】
このようにして、通常再生時のＰＣＲ値との継続性を保ったＰＣＲ値及び、通常再生時に記憶した特殊再生データ用のＰＳＩをモード遷移時に送出することより、デコーダがデータデコード不能な期間を短縮することができる。
【００５１】
【発明の効果】
以上説明したように、請求項１の発明によれば、通常再生しながら符号化データに含まれる特殊再生用の識別情報を検出するとともに、これを通常再生から特殊再生への動作移行時に利用するために記憶するようにしたので、再生符号化データを復号するデコーダにおいて復号不可能な時間を短縮して再生画像の乱れや欠落を低減することができる効果がある。
【００５２】
請求項４の発明によれば、通常再生から特殊再生にモード遷移した場合、再生されるデータ中に時間信号の不連続を示す信号を組み込むように構成したことにより、デコーダの誤動作を防ぐことができる効果がある。
【００５３】
請求項５の発明によれば、再生される符号化データ中の時間信号と同等の信号を発生すると共に、通常再生から特殊再生にモード遷移した場合、連続性の保たれた上記信号を発生し、この信号を再生された符号化データ中に組み込むように構成したことにより、デコーダの誤動作を防ぐことができる効果がある。
【図面の簡単な説明】
【図１】本発明の第１の実施例の構成を示すブロック図である。
【図２】第１の実施例のＰＣＲ検出回路の構成例を示すブロック図である。
【図３】本発明の第２の実施例の構成を示すブロック図である。
【図４】第２の実施例のＰＣＲ生成回路の構成例を示すブロック図である。
【図５】ＭＰＥＧ符号化方式を説明するための説明図である。
【図６】ＭＰＥＧ符号化方式を説明するための説明図である。
【図７】ＰＣＲデコード回路の構成を示すブロック図である。
【図８】モード遷移時のデコード動作を説明するための説明図である。
【符号の説明】
１０１  再生データの入力端子
１０２  動作モード信号の入力端子
１０３  データ識別信号の入力端子
１０４、１０５、１１３、１１４  選択スイッチ
１０６  シンクブロックメモリ
１０７  ＰＣＲ検出回路
１０８  ＳＰＩ検出回路
１０９  ＰＣＲメモリ
１１０  ＰＳＩメモリ
１１１  マルチプレクサ
１１２  制御回路
１１５  パケット化回路
１１６  出力端子
【図１】
0003689440.tif 000002
【図２】
0003689440.tif 000003
【図３】
0003689440.tif 000004
【図４】
0003689440.tif 000005
【図５】
0003689440.tif 000006
【図６】
0003689440.tif 000007
【図７】
0003689440.tif 000008
【図８】
0003689440.tif 000009